(57)【要約】【課題】  従来の携帯型機器は、機能毎の単位で表示画面に情報を表示していたため、撮像部の画像と操作に関する情報とを同時に表示画面に表示させることができない。【解決手段】  本発明の携帯型機器１０は、表示画面１１は、第１と第２の表示領域部とを有し、制御部２７は表示部２５を制御して、操作の指示５１に対応する操作情報５３を第１の表示領域部１５に表示し、撮像部１９が入力した画像５５を第２の表示領域部１５に表示する。操作者は、第２の表示領域部１３に表示される画像５５を自己の前方の景色として確認できるので、歩行中に携帯型機器１０を操作しながら、視線の移動を最小限にして、歩行中の前方の安全を確認しながら視線を表示画面１１から外さずに操作できる。【選択図】        図２
2005332126.tif 000002
【特許請求の範囲】
【請求項１】
情報を表示画面に表示する表示部と、操作の指示を入力する操作部と、上記表示部を制御して上記操作部が入力した操作の指示に対応する操作情報を上記表示画面に表示させる制御部とを備えた携帯型機器において、
画像を入力する撮像部を備え、
上記表示画面は、第１の表示領域部と第２の表示領域部とを有し、
上記制御部は、上記操作情報を上記第１の表示領域部に表示させ、上記撮像部が入力した画像を上記第２の表示領域部に表示させることを制御する
ことを特徴とする携帯型機器。
【請求項２】
情報を表示画面に表示する表示部と、操作の指示を入力する操作部と、上記表示部を制御して上記操作部が入力した操作の指示に対応する操作情報を上記表示画面に表示させる制御部とを備えた携帯型機器において、
画像を入力する撮像部を備え、
上記表示画面は、第１の表示領域部と第２の表示領域部との少なくともいずれか一方を有し、
上記第１の表示領域部は、上記操作情報を表示し、
上記第２の表示領域部は、上記撮像部が入力した画像を表示し、
上記操作部は、上記表示画面に第１の表示領域部を表示させる指示と、上記第１と第２の表示領域部とを表示させる指示と、上記第２の表示領域部を表示させる指示とのいずれか１つを指示する表示指示情報を入力し、
上記制御部は、上記操作部が入力した表示指示情報が上記第１の表示領域部を表示させる指示である場合に、上記表示部を制御して上記表示画面に第１の表示領域部を表示させ、上記表示指示情報が上記表示画面に第１と第２の表示領域部とを表示させる指示である場合に、上記表示部を制御して上記表示画面に第１と第２の表示領域部を表示させ、上記表示指示情報が上記第２の表示領域部を表示させる指示である場合に、上記表示部を制御して上記表示画面に第２の表示領域部を表示させる
ことを特徴とする携帯型機器。
【請求項３】
上記制御部は、上記表示画面に第１と第２の表示領域部を表示させる場合に、上記表示画面を２つに分割して、分割した一方の表示画面に第１の表示領域部を表示し、分割した他方の表示画面に第２の表示領域部を表示する
ことを特徴とする請求項２記載の携帯型機器。
【請求項４】
上記第１と第２の表示領域部はそれぞれ、所定のサイズの表示領域を有し、
上記制御部は、上記表示画面に第１と第２の表示領域部を表示させる場合に、上記第１の表示領域部と上記第２の表示領域部とのいずれか一方の表示領域のサイズを他方の表示領域のサイズよりも大きくし、サイズを大きくした表示領域部にサイズを小さくした表示領域部を重ねるように上記表示部を制御することを特徴とする請求項２記載の携帯型機器。
【発明の詳細な説明】
【技術分野】
【０００１】
この発明は、撮像部を備える携帯型機器の表示画面、例えばカメラ機能を有する携帯電話装置の表示画面に操作中の機能に関する情報を表示する第１の表示領域部と撮像部が入力した画像を表示する第２の表示領域部とを表示させて、携帯型機器の利用者が携帯型機器を操作中に自己の安全を確認できる携帯型機器に関する。
【背景技術】
【０００２】
従来の複数の操作画面をそれぞれ表示する携帯型機器として「特開２００３−２０９６０９号公報」に開示された携帯型情報処理装置がある。この携帯型情報処理装置は、表示手段と、表示手段における表示画面を分割することにより、主表示領域と、筐体上における所定の操作手段の配設場所と対応付けられた複数の副表示領域に対して所定の規則に基づき各種機能に対応した複数の操作画面をそれぞれ表示し、上記所定の操作手段に対して行われた操作に応じて上記副表示領域に表示中の上記操作画面と主表示領域に表示中の上記操作画面とを切り替えて表示する制御手段とを備えたものである。
【特許文献１】特開２００３−２０９６０９号公報
【発明の開示】
【発明が解決しようとする課題】
【０００３】
特開２００３−２０９６０９号公報に記載された携帯型情報処理装置は、複数の操作画面を簡易な操作で切り替え表示することを目的とし、各操作画面は重ね合わされて表示される。すなわち、最前面の操作画面以外は、画面の切り替え操作を行わないと確認することが出来なかった。
【０００４】
本発明は、上記した問題点を解決し、以下のことを目的とする。
・撮像部を有する携帯型機器であって、撮像部が入力した画像と携帯型機器の提供する機能の操作情報とを同時に表示画面に表示させて、操作者が画像と操作情報とを同時に見ることができるようにして、携帯型機器の利用者が歩行中に携帯型機器を操作しながら、視線の移動を最小限にして、画像として映し出される前方の景色を確認できる機能を提供する。
【課題を解決するための手段】
【０００５】
この発明に係る情報を表示画面に表示する表示部と、操作の指示を入力する操作部と、上記表示部を制御して上記操作部が入力した操作の指示に対応する操作情報を上記表示画面に表示させる制御部とを備えた携帯型機器は、画像を入力する撮像部を備え、上記表示画面は、第１の表示領域部と第２の表示領域部とを有し、上記制御部は、上記操作情報を上記第１の表示領域部に表示させ、上記撮像部が入力した画像を上記第２の表示領域部に表示させることを制御することを特徴とする。
【発明の効果】
【０００６】
この発明の携帯型機器は、携帯型機器の操作中に操作情報とともに利用者の前方の景色の画像を表示画面に表示する。このため、携帯型機器の利用者は、安全を確認するために表示画面から視線を外さずに、表示画面に表示された前方の景色を確認しながら操作情報を見て、安全を保持しつつ操作を継続できる効果がある。
【発明を実施するための最良の形態】
【０００７】
実施の形態１．
この実施の形態は、操作情報を表示する第１の表示領域部と、画像を表示する第２の表示領域部とを有する表示画面を備える携帯型機器について、一例を説明する。なお、携帯型機器の一例として携帯電話装置を用いる。
【０００８】
図１は、折りたたみ式の携帯電話装置を開いた場合の外観を示し、（ａ）は、折りたたんだ際に内側になる面を開いて正面から見た正面図、（ｂ）は、側面図、（ｃ）は、折りたたんだ際に表側になる面を開いて正面から見た正面図である。図１の携帯型機器１０は、表示画面１１と、操作部１７と、撮像部１９と、アンテナ２１と、表側表示画面とを備える。また、表示画面１１は、第１の表示領域部１５と、第２の表示領域部１３とを有する。第１の表示領域部１５は、主にメール作成やスケジュール作成やウェブやゲーム等のアプリケーション機能に関する操作情報を表示する。第２の表示領域部１３は、主にカメラのレンズである撮像部１９が入力した画像と、画像を編集するための操作を指示させる操作情報とを表示する。撮像部１９は、携帯型機器を折りたたんだ際に表側になる面上であって、表示画面１１が設置されている面に対して裏側になる面上に配置されている。すなわち、利用者が携帯型機器１０を開いた状態で手に持ち、表示画面１１を操作者の顔の方向に向けると、撮像部１９は、利用者の前方方向を向いているので、利用者の前方方向の景色の画像を入力する。撮像部１９は、レンズを有している（レンズを調整して撮影角度を変更できるような機構を備えているとなお良い）。また、表側表示画面２３は無くてもかまわない。
【０００９】
図２は、携帯型機器が備える要素のブロック図である。操作部１７は、利用者がボタンを操作して指示したり選択した操作の指示５１を入力する。記憶部２９は、操作の指示に対応する操作情報を記憶したり、撮影した画像やメール情報などを保存する。撮像部１９は、画像５５を入力する。表示部２５は、着信・アラームなどの通知や操作者が必要とする情報を表示する。制御部２７は、操作の指示５１を入力して、記憶部２９を検索して操作の指示５１に対応する操作情報５３を取り出し、表示部２５を制御して操作情報５３を表示画面１１の第１の表示領域部１５に表示させる。また、画像５５を入力して、表示部２５を制御して画像５５を表示画面１１の第２の表示領域部１３に表示させる。
【００１０】
次に動作について説明する。携帯型機器１０は表示部２５に表示した操作情報に従って利用者が入力した操作の指示５１を操作部１７から入力する。制御部２７は、操作の指示５１を入力して、記憶部２９を検索し、操作の指示５１に対応する操作情報５３を取得し、表示部２５を制御して操作情報５３を表示画面１１の第１の表示領域部１５に表示させる。また、制御部２７は、操作の指示５１を入力すると撮像部１９が取り込んだ画像５５を入力して、表示部２５を制御して画像５５を表示画面１１の第２の表示領域部１３に表示させる。
【００１１】
なお、この実施の形態では携帯型機器１０の利用者が何らかの操作を行っている最中に自己の前方の安全を確認できるようにするため、第２の表示領域部１３に画像を表示していた。このため、待ち受け状態では利用者は表示画面１１をある程度の時間見続けることはないため、利用者は自己の前方を確認する必要がないと考えられる。この結果、第２の表示領域部１３には画像は表示しても、しなくてもかまわない。待ち受け状態中に第２の表示領域部１３に画像を表示しない場合は、表示部２５は、表示画面１１の画面全体を使用して待ち受け状態情報（「待ち受け状態情報」とは、日時情報や受信状態や電池残量を示す情報を指すものとする）を表示してもかまわない。
【００１２】
以上のように、この実施の形態の携帯型機器は、表示画面に操作中の操作情報を表示するとともに撮像部が取り込んだ画像を表示する。例えば、利用者の前方の景色の画像が表示されるように撮像部の位置を加減しながら携帯型機器の操作を行うと、利用者は自己の前方の安全を確認しながら操作を行うことができ、携帯型機器の操作中に発生する事故を防ぐことが可能になる効果がある。
【００１３】
一方、従来の携帯型機器、例えば携帯電話では、メール作成中ならメール作成画面、カメラ撮影中ならカメラプレビュー画面、メニュー操作中ならメニュー画面と、各々の操作の単位でしか表示画面に表示することしかできなかった。このため、利用者が歩行中にカメラ以外の操作をする場合は、前方を確認するために操作画面から度々視線を外さなければならず、操作に集中できなかった。しかし、この実施の形態の携帯型機器を用いれば、表示画面には操作情報と共に撮像部が取り込んだ画像が表示されるので、携帯型機器の利用者は操作画面から視線を外すことなく前方を確認でき、集中して操作を行える効果がある。
【００１４】
この実施の形態では、カメラ機能を有する携帯型機器において、画面を分割して、カメラにより映し出される画像と同時に、カメラ機能以外の操作画面を表示することを特徴とする携帯型機器の一例を説明した。
【００１５】
実施の形態２．
この実施の形態では、表示画面に第１の表示領域部を表示する場合と、第１と第２の表示領域部を表示する場合と、第２の表示領域部を表示する場合とを、携帯型機器の利用者が切り替えられる携帯型機器の一例を説明する。なお、切り替えの操作は、表示画面に表示されるメニュー情報或いはアイコン情報を利用者が指定することによって行う。
【００１６】
図３は、携帯型機器が備える要素のブロック図である。図３の操作部１７は、操作の指示５１の他に、表示画面に第１の表示領域部を表示する場合と、第１と第２の表示領域部を表示する場合と、第２の表示領域部を表示する場合とのいずれかを指示する表示指示情報５７を入力する。また、図３の制御部２７は、表示指示情報５７を入力して、表示指示情報５７が指示する内容に従い表示部２５を制御して、表示画面１１に第１の表示領域部を表示させる、或いは、第１と第２の表示領域部を表示させる、或いは、第２の表示領域部を表示させる。その他の要素は図１と同様である。
【００１７】
図４は、表示画面の表示例を示す図であり、（ａ）は通常モードにおける表示例を示し、（ｂ），（ｃ）は前方確認モードにおける表示例を示す図である。ここで、「通常モード」とは、表示画面１１に第１の表示領域部１５を表示する、或いは、表示画面１１に第２の表示領域部１３を表示する場合を指し、「前方確認モード」とは、表示画面１１に第１の表示領域部１５と第２の表示領域部１３とを表示する場合を指すものとする。図４（ａ）において、表示画面１１には第１の表示領域部１５（操作表示部）が表示され、第１の表示領域部１５には、携帯型機器１０が提供する機能の一覧と、複数のアイコンが表示されている。図４（ｂ）において、表示画面１１には第１の表示領域部１５（操作表示部）と第２の表示領域部１３とが表示され、第１の表示領域部１５には、図４（ａ）の第１の表示領域部１５と比較して表示領域の面積が小さくなったものの携帯型機器１０が提供する機能の一覧が表示されるとともに、複数のアイコンが表示されている。また、第２の表示領域部１３（カメラプレビュー部）には、撮像部１９が取り込んだ画像５５が表示されている。ここでは、アイコン４１を表示指示情報の入力用に使用する。記憶部２９は、操作情報を記憶するが、この操作情報はアイコン４１を表示するためのアイコン情報を含む。また、記憶部２９にはアイコン情報に関連させて、通常モードから前方確認モードへ表示を遷移させるための制御情報と、前方確認モードから通常モードへ表示を遷移させるための制御情報とを記憶している。図４（ｂ）の前方確認モードの例では、表示画面１１を上下に二分割し、一方はカメラプレビュー画面として第２の表示領域部１３を表示し、もう一方には操作中画面として第１の表示領域部１５を表示している。なお、カメラプレビュー部は、画像をそのまま表示するだけで、操作表示部からの入力は受け付けない。操作者の入力は全て操作表示部に対して行われる。例えば、図４（ｂ）の状態で利用者から「メール」を選択されると、表示画面１１は図４（ｃ）のように前方確認モードのままであるが、第１の表示領域部１５には、選択されたメール作成画面が表示される。しかし、第２の表示領域部１３には、変わらずカメラプレビューが表示される。従って、携帯型機器１０の利用者は、前方確認モードでは操作表示部の面積が少なくなった以外は通常モードと何ら変わりなく操作を継続しつつカメラプレビュー部を見ることで、前方の安全を確認することが可能である。また、第１の表示領域部１５のサイズが小さく、操作がしずらい場合には、図４（ｃ）のアイコン４１（「通常」）を選択すると図５（ａ）のように通常モードでのメール作成画面に切り替えられる。また、図４（ｂ）の前方確認モードで操作表示部から「カメラ」が選択されると、表示画面１１は、図５（ｂ）のカメラプレビュー画面に切り替わる。図５（ｂ）は、表示画面１１に第２の表示領域部１３のみが表示されることを示している。「カメラ」が選択された場合には、前方確認モードにする必要がないため、前方確認モードに遷移するためのアイコン４１の表示は行わない。
【００１８】
次に図６、図７のフローチャートに基づき、前方確認モードと通常モードを切り替える動作を説明する。図６は、通常モードから前方確認モードへ遷移するモード切り替え動作のフローチャート図である。図７は、前方確認モードから通常モードへ遷移するモード切り替え動作のフローチャート図である。
【００１９】
以下、携帯型機器１０の利用者を操作者と呼ぶ。図６において、通常モードの入力待ち状態（Ｓ１）で、操作者は任意のキー操作を行う（Ｓ２）。操作部１７は、操作者による操作の指示５１、或いは、表示指示情報５７（表示指示情報５７は図４（ａ）や図５（ａ）のアイコン４１を操作者に選択されることによって入力される）を入力する。制御部２７は、操作部１７から操作の指示５１、或いは、表示指示情報５７を入力して、前方モード切り替え要求か否かを判断する（Ｓ３）。表示指示情報５７が入力された場合には、通常モードから前方確認モードへ切り替える指示がされたものとしてＳ４へ分岐し、それ以外はＳ７へ分岐する。Ｓ４では、制御部２７は、撮像部１９を起動して、撮像部から画像５５を入力して、それまで第１の表示領域部１５に表示していた操作画面と新たに第２の表示領域部１３に表示させる画像５５とを図４（ｂ）や図４（ｃ）のように表示するように合成して、表示部２５を制御して表示画面１１に第１の表示領域部１５と第２の表示領域部１３とを表示させ（Ｓ５）、前方確認モードに遷移させる（Ｓ６）。Ｓ３で前方確認モードへの切り替え要求でなかった場合は、制御部２７は、Ｓ７で操作の指示５１（操作の指示５１は押下されたキーやボタンに対応する動作を示すものである）に対応する操作情報を記憶部２９を検索して取り出し、取り出した操作情報を表示画面１１に表示するよう表示部２５を制御し（Ｓ８）、通常モードのまま入力待ち状態になる（Ｓ９）。
【００２０】
上記したＳ１〜Ｓ９の処理は、制御部２７の制御の下行う制御工程である。
【００２１】
次に、前方確認モードから通常モードに遷移する動作を図７に従い説明する。操作者は、例えば図４（ｂ）や図４（ｃ）のような前方確認モードの入力待ち状態（Ｓ１０）で、任意のキー操作を行う（Ｓ１１）。操作部１７は、操作者による操作の指示５１、或いは、表示指示情報５７（表示指示情報５７は図４（ｂ）や図４（ｃ）のアイコン４１を操作者に選択されることによって入力される）を入力する。制御部２７は、操作部１７から操作の指示５１、或いは、表示指示情報５７を入力して、通常モード切り替え要求か否かを判断する（Ｓ１２）。表示指示情報５７が入力された場合には、前方確認モードから通常モードへ切り替える指示がされたものとしてＳ１３へ分岐し、それ以外はＳ１６へ分岐する。通常モード切り替え要求であった場合は、Ｓ１３で制御部２７は撮像部１９を制御してカメラ機能を停止させる。さらに、表示画面１１から第２の表示領域部１３のカメラプレビュー部を消去して、表示画面１１に第１の表示領域部１５を全面に表示するよう表示部２５を制御して（Ｓ１４）、通常モードに遷移させる（Ｓ１５）。例えば、図４（ｂ）から図４（ａ）、或いは、図４（ｃ）から図５（ａ）の表示画面に遷移する。通常モードへの切り替え要求でなかった場合は、制御部２７はＳ１６で、操作の指示５１（操作の指示５１は押下されたキーやボタンに対応する動作を示すものである）に対応する操作情報を記憶部２９を検索して取り出し、取り出した操作情報を表示画面１１の第１の表示領域部１５に表示するよう表示部２５を制御し（Ｓ１６）、第１の表示領域部１５に表示する内容を更新し（Ｓ１７）、前方確認モードのまま入力待ち状態に戻る（Ｓ１８）。例えば、図４（ｂ）から図４（ｃ）の表示画面に表示内容が変わる。
【００２２】
上記したＳ１０〜Ｓ１８の処理は、制御部２７の制御の下行う制御工程である。
【００２３】
このように前方確認モードでは、メール作成やメニュー選択などの各種操作を行いながら、同時に表示されている撮像部１９が取り込んだカメラ画像を確認することで、最小限の視線移動で前方を確認することが出来るようになるため、歩行中でも操作を安全に継続することが可能となる効果がある。
【００２４】
また、表示指示情報５７を入力させる手段としてアイコン情報を用いるほかに、メニュー情報を用いる方法が考えられる。図８は、表示指示情報をメニュー情報として表示して、操作者に選択させる例を示す図であり、（ａ）は通常モードにおけるメニュー情報の例、（ｂ）は、前方確認モードにおけるメニュー情報の例を示す。図８の例では、メニュー４３の中に通常モードから前方確認モードへ遷移させることを指示する「前方確認モード」と、前方確認モードから通常モードへ遷移させることを指示する「通常モード」とを設けた。また、メニュー４３は、機能アイコンに対応させて表示するようにしている。操作者によってメニュー４３から「前方確認モード」が選択された場合の動作は、図６と同様とする。また、操作者によってメニュー４３から「通常モード」が選択された場合の動作は、図７と同様とする。また、効果についても、アイコン４１によって表示指示情報を入力させる場合と同様の効果があるものとする。
【００２５】
また、アイコン４１やメニュー４３によって表示指示情報を入力させることは、以下の効果がある。
【００２６】
携帯型機器１０の操作部１７に専用キーを設けるスペースが無い場合に有効である。
【００２７】
また、前方確認モードと通常モードとを相互に切り替え可能にすることによって、前方確認モードでは第１の表示領域部のサイズが通常モードの第１の表示領域部のサイズに比較して小さくなるため、操作者が操作をしずらい場合があるが、前方確認モードから通常モードへ切り替えられ、また、切り替えた場合には直前に操作していた内容が切り替わったモードでも有効であるため、前方の安全確認が必要でない場合、例えば、歩行中でなく座って操作をする場合には、操作者は自己の判断で操作をしやすくできる効果がある。また逆に、座って操作をしている途中で歩きだしたような場合には、前方の安全確認が必要になるため、通常モードから前方確認モードへ容易に切り替えることが出来る。この時、例えば、メールの作成途中でモードを切り替えても、切り替え後の表示画面にはそれまで作成していたメールの内容が残っていて、継続してメール作成が行えるようになっているので、操作者は操作の途中であってもそれまでの操作内容を維持したままモードを切り替えられる効果がある。
【００２８】
実施の形態３．
この実施の形態では、表示指示情報を入力させる表示指示ボタン部を備えた携帯型機器の一例を説明する。なお、携帯型機器１０を構成する要素は、図３と同様であるものとする。
【００２９】
図９及び図１０は、表示指示ボタン部を備えた携帯型機器の一例を示す図であり、（ａ）は、折りたたんだ際に内側になる面を開いて正面から見た正面図、（ｂ）は、側面図である。図９の携帯型機器１０は、操作部１７の操作面上に表示切替（指示）ボタン３１を備える。操作者が表示切替ボタン３１を押下することによって、通常モードであるときは前方確認モードへ切り替わり、前方確認モードであるときは通常モードへ切り替わる。表示切替ボタン３１が備えられている位置には、シャッターボタンが備えられている携帯型機器があるが、シャッターボタン３３は、図９（ｂ）のように携帯型機器１０の側面に備えられているものとする。
【００３０】
図１０の携帯型機器１０は、図１０（ｂ）のように側面に表示切替（指示）ボタン３１を備える。表示切替ボタン３１は、例えばプッシュ式、スライド式、ダイヤル式のいずれの方式によるものでもかまわない。操作者が表示切替ボタン３１を操作することによって、通常モードであるときは前方確認モードへ切り替わり、前方確認モードであるときは通常モードへ切り替わる。表示切替ボタン３１が備えられている位置には、シャッターボタンが備えられている携帯型機器があるが、シャッターボタン３３は、図１０（ａ）のように携帯型機器１０の操作面上に備えられているものとする。
【００３１】
図９と図１０に示したそれぞれの表示切替ボタン３１を操作者が操作することにより、操作部１７は表示指示情報５７を入力し、制御部２７は表示指示情報５７を受け取り、図６及び図７に記載したフローチャートに従う動作を行う。
【００３２】
表示切替（指示）ボタンを設けることによって、前方確認モードと通常モードとを相互に切り替え可能になる。前方確認モードでは第１の表示領域部のサイズが通常モードの第１の表示領域部のサイズに比較して小さくなるため、操作者が操作をしずらい場合があるが、前方確認モードから通常モードへ切り替えられ、また、切り替えた場合には直前に操作していた内容が切り替わったモードでも有効であるため、前方の安全確認が必要でない場合、例えば、歩行中でなく座って操作をする場合には、操作者は自己の判断で操作をしやすくできる効果がある。また逆に、座って操作をしている途中で歩きだしたような場合には、前方の安全確認が必要になるため、通常モードから前方確認モードへ容易に切り替えることが出来る。この時、例えば、メールの作成途中でモードを切り替えても、切り替え後の表示画面にはそれまで作成していたメールの内容が残っていて、継続してメール作成が行えるようになっているので、操作者は操作の途中であってもそれまでの操作内容を維持したままモードを切り替えられる効果がある。
【００３３】
また、携帯型機器１０は、図９や図１０のように表示指示情報を入力させる物理的な手段を設けるとともに、上記実施の形態２のように、アイコン４１やメニュー４３を設けて表示指示情報を入力させるようにしてもかまわない。２つの手段を設けることによって、操作者の操作しやすい手段を用いて表示指示情報を入力させることが出来る効果がある。
【００３４】
実施の形態４．
上記実施の形態１〜３では、表示画面に第１の表示領域部と第２の表示領域部とを表示させる場合に、図１のように表示画面１１を上下２つに分割して、上側を第２の表示領域部１３とし、下側を第１の表示領域部１５としていた。しかし、上側を第１の表示領域部１５とし、下側を第２の表示領域部１３としてもかまわない。
【００３５】
また、表示画面１１を左右に分割してもかまわない。図１１（ａ）は、表示画面１１を左右に分割して、紙面の左側を第１の表示領域部１５とし、紙面の右側を第２の表示領域部１３とする例を示す図である。左右は逆にしてもよく、紙面の左側を第２の表示領域部１３とし、紙面の右側を第１の表示領域部１５とすることも可能である。
【００３６】
また、表示画面１１の分割を上下と左右とのいずれかに分割することを操作者が任意に選択できるようにしてもかまわない。
【００３７】
また、上記表示画面１１に第１の表示領域部１５と第２の表示領域部１３とを表示する場合、第１の表示領域部１５のサイズと第２の表示領域部１３のサイズとは、図１（ａ）のように同じ大きさのサイズにしても、図１１（ｂ）のように第１の表示領域部１５のサイズを第２の表示領域部１３のサイズよりも大きいサイズにしてもよい。また逆に、第２の表示領域部１３のサイズを第１の表示領域部１５のサイズよりも大きいサイズにしてもよい。
【００３８】
また、第１の表示領域部のサイズと第２の表示領域部のサイズとをそれぞれ、操作者が任意のサイズに変更できるようにしてもかまわない。図１２（ａ）は、表示画面１１を上下に分割して、第１の表示領域部１５と第２の表示領域部１３との領域の境をｘ方向とｙ方向とのいずれかの方向に移動させて、第１の表示領域部１５のサイズと第２の表示領域部１３のサイズとを操作者が任意のサイズに変更する。
【００３９】
また、図１２（ｂ）のように、表示画面１１を左右に分割した場合も、第１の表示領域部のサイズと第２の表示領域部のサイズとをそれぞれ、操作者が任意のサイズに変更できるようにする。
【００４０】
変更を行う手段は、例えば、アイコンを表示して、アイコンを選択させることによって変更を行う方法や、メニューを表示して、メニューを選択させることによって変更を行う方法や、操作部１７に専用のボタンを設けて、ボタンを操作させることによって変更する方法がある。
【００４１】
また、第１の表示領域部１５と第２の表示領域部１３とにそれぞれ表示する情報或いは画像の向きを操作者が任意に変更できるようにしてもかまわない。例えば、図８（ｂ）の第２の表示領域部１３に表示されている人物を表す画像を、右に（左でもかまわない）９０度回転させて表示向きを変更する。同時に、第１の表示領域部１５に表示されている作成中のメールの内容やアイコンなどの操作情報を右（左でもかまわない）９０度回転させて表示向きを変更する。第１と第２の表示領域部に表示する情報の向きは、第１と第２の表示領域部のうちいずれかの表示領域部に表示する情報の向きを変更した場合に、他方の表示領域部に表示する情報の向きも追随して変更する。
【００４２】
以上のように、表示画面１１を上下に分割したり、左右に分割することを操作者が任意に選択できるようにすると、操作者の携帯型機器の持ち方に対応させて分割の向きを操作者が自由に選択できるので、表示画面に表示された情報を確認しやすくなり、操作効率を高める効果がある。
【００４３】
また、第１と第２の表示領域部のサイズをそれぞれ、操作者が変更できるようにすると、例えばメール作成やウェブの閲覧時には第１の表示領域部のサイズを大きくして、一目して確認できる情報の量を多く表示させることができる。この結果、操作者の携帯型機器の使い勝手を良くする効果がある。
【００４４】
また、例えば、頻繁に通行する道路を歩行中には、第２の表示領域部のサイズを第１の表示領域部のサイズよりも小さくし、初めて通行する道路を歩行中には周囲の様子を注意深く確認する必要があるため、第２の表示領域部のサイズを第１の表示領域部のサイズよりも大きくして、操作者の前方方向の障害を発見しやすくできる。このように、操作者が携帯型機器を使用する状況に合わせて表示画面の仕様を変更できるので、操作者の携帯型機器の使い勝手を良くする効果がある。
【００４５】
実施の形態５．
この実施の形態では、第２の表示領域部を窓のように表示画面に表示させる例を説明する。
【００４６】
図１３、図１４は、第２の表示領域部を窓状にして表示画面に表示させる例を示す図である。図１３のように、第２の表示領域部１３のサイズは、第１の表示領域部１５のサイズよりも小さくする。そして、第１の表示領域部１５の上に、第２の表示領域部１３を重ねて表示する。第２の表示領域部１３が重なっている第１の表示領域部の部分は見えなくなっているが、第１の表示領域部１５の表示内容はスクロールできるようにして、重なって見えなくなっている部分に表示される情報も確認できるようにする。
【００４７】
また、第２の表示領域部１３は、図１４にようにｘ方向、ｙ方向に移動できるようにして、第２の表示領域部１３のサイズを拡大、縮小できるようにする。また、第２の表示領域部１３のサイズはそのままにして、窓の位置をｘ方向、ｙ方向に移動できるようにして、第１の表示領域部１５上にある第２の表示領域部１３の位置を任意の位置に変更するようにしてもかまわない。
【００４８】
また、実施の形態４に記載した表示画面の分割例と、実施の形態５の分割例とは、操作者が任意に選択できるようにする。
【００４９】
以上のように、第２の表示領域部を窓状に第１の表示領域部に重ねて表示することによっても、操作者は自己の前方の安全を確認しながら携帯型機器の操作を行うことができる効果がある。
【００５０】
また、第２の表示領域部のサイズを操作者が任意に変更できるので、操作者が携帯型機器を操作する環境に合わせて、表示画面の仕様を変更できる効果がある。
【００５１】
以上の実施の形態の説明において「〜部」として説明したものは、一部或いはすべてコンピュータで動作可能なプログラムにより構成することができる。これらのプログラムは、例えば、Ｃ言語により作成することができる。
【００５２】
また、実施の形態の説明において「〜部」として説明したものは、ＲＯＭ（Ｒｅａｄ  Ｏｎｌｙ  Ｍｅｍｏｒｙ）に記憶されたファームウェアで実現されていてもかまわない。或いは、ソフトウェア或いは、ハードウェア或いは、ソフトウェアとハードウェアとの組みあわせで実施されてもかまわない。
【図面の簡単な説明】
【００５３】
【図１】実施の形態１の折りたたみ式の携帯電話装置を開いた場合の外観を示し、（ａ）は、折りたたんだ際に内側になる面を開いて正面から見た正面図、（ｂ）は、側面図、（ｃ）は、折りたたんだ際に表側になる面を開いて正面から見た正面図である。
【図２】実施の形態１の携帯型機器が備える要素のブロック図である。
【図３】実施の形態２の携帯型機器が備える要素のブロック図である。
【図４】実施の形態２の表示画面の表示例を示す図であり、（ａ）は通常モードにおける表示例を示し、（ｂ），（ｃ）は前方確認モードにおける表示例を示す図である。
【図５】実施の形態２の表示画面の表示例を示す図であり、（ａ）、（ｂ）は通常モードにおける表示例を示す図である。
【図６】通常モードから前方確認モードへ遷移するモード切り替え動作のフローチャート図である。
【図７】前方確認モードから通常モードへ遷移するモード切り替え動作のフローチャート図である。
【図８】表指示情報をメニュー情報として表示して、操作者に選択させる例を示す図であり、（ａ）は通常モードにおけるメニュー情報の例、（ｂ）は、前方確認モードにおけるメニュー情報の例を示す図である。
【図９】実施の形態３の表示指示ボタン部を備えた携帯型機器の一例を示す図であり、（ａ）は、折りたたんだ際に内側になる面を開いて正面から見た正面図、（ｂ）は、側面図である。
【図１０】実施の形態３の表示指示ボタン部を備えた携帯型機器の一例を示す図であり、（ａ）は、折りたたんだ際に内側になる面を開いて正面から見た正面図、（ｂ）は、側面図である。
【図１１】（ａ）は、実施の形態４の表示画面１１を左右に分割する例を示す図であり、（ｂ）は、実施の形態４の表示画面１１を上下に分割する例を示す図である。
【図１２】（ａ）、（ｂ）は、実施の形態４の第１の表示領域部と第２の表示領域部との領域の境をｘ方向とｙ方向とのいずれかの方向に移動させる例を説明する図である。
【図１３】実施の形態５の第２の表示領域部を窓状にして表示画面に表示させる例を示す図である。
【図１４】実施の形態５の第２の表示領域部を窓状にして、第２の表示領域部のサイズを変更する例を示す図である。
【符号の説明】
【００５４】
１０  携帯型機器、１１  表示画面、１３  第２の表示領域部、１５  第１の表示領域部、１７  操作部、１９  撮像部、２１  アンテナ、２３  表側表示画面、２５  表示部、２７  制御部、２９  記憶部、３１  表示切替ボタン、３３  シャッターボタン、４１  アイコン、４３  メニュー、５１  操作の指示、５３  操作情報、５５  画像、５７  表示指示情報。
【図１】
2005332126.tif 000003
【図２】
2005332126.tif 000004
【図３】
2005332126.tif 000005
【図４】
2005332126.tif 000006
【図５】
2005332126.tif 000007
【図６】
2005332126.tif 000008
【図７】
2005332126.tif 000009
【図８】
2005332126.tif 000010
【図９】
2005332126.tif 000011
【図１０】
2005332126.tif 000012
【図１１】
2005332126.tif 000013
【図１２】
2005332126.tif 000014
【図１３】
2005332126.tif 000015
【図１４】
2005332126.tif 000016